(57)【要約】  【課題】  非常電話機の収容回線数を効率的に使用可能とすることにより、拡張性の高い非常電話制御装置を提供する。  【解決手段】  収容回線に接続される非常電話機ＴＥ１-１、…、ＴＥｋ-１を制御する子機ライントランクＬＮ１−１、…、ＬＮｋ−１と、非常電話親機ＴＬｍ−１〜ＴＬｍ−ｋを制御する親機インタフェースパッケージＩＦ１〜ＩＦｋと、非常電話機ＴＥ１−１、…、ＴＥｋ−１と１対１に対応して移放接点情報や状態情報などの各種情報をシリアルデータＤＳで、各ブロック（ブロック１系〜ブロックＫ系）に対応した外部機器である表示装置ＤＹ１〜ＤＹＫ宛てに伝送するシリアルインタフェース手段３とからなる非常電話盤２を備える。【選択図】  図１
2006067163.tif 000002
【特許請求の範囲】
【請求項１】
ブロック毎に設置された複数の非常電話機と、前記ブロック毎に対応した防災センタに設置された非常電話親機と、前記非常電話機を収容するとともに、前記非常電話親機を収容する構内交換機で構成した非常電話盤と、からなる非常電話制御装置であって、
前記非常電話盤は、全ての前記非常電話機の移放接点情報や状態情報などの各種情報をシリアルデータで、前記各ブロックに対応した外部機器宛てに伝送するシリアルインタフェース手段を備えたことを特徴とする非常電話制御装置。
【請求項２】
前記シリアルインタフェース手段は、１本のＲＣ２３２Ｃケーブルから分岐して前記各ブロックに対応した前記外部機器と接続したことを特徴とする請求項１記載の非常電話制御装置。
【発明の詳細な説明】
【技術分野】
【０００１】
本発明は非常電話機からの発報に基づいて火災などの異常を通報する非常電話制御装置に係り、特に全ての非常電話機からの移放接点情報や状態情報などの各種情報をシリアルデータで外部機器に伝送する非常電話制御装置に関する。
【背景技術】
【０００２】
従来、高層ビルや複数のビルで構成される建築物には、各フロアや各ビル単位のブロック毎に、防災センタを設置し、ブロック毎に複数の非常電話機と、防災センタ内の非常電話親機と、非常電話機からの発報信号に基づいて非常電話機の位置などを表示する外部機器を収容する非常電話盤（構内交換機）とからなる非常電話制御装置が知られている。
【０００３】
図３に従来の非常電話制御装置のシステム構成図を示す。図３において、非常電話制御装置５０は、各ブロックであるブロック１系〜ブロックＫ系のフロアなどに配置された非常電話機ＴＥ１-１、…、ＴＥｋ-１と、構内交換機で構成した非常電話盤５１と、ブロック１系〜ブロックＫ系の防災センタに配置された非常電話親機ＴＬｍ-１〜ＴＬｍ-ｋとから構成される。
【０００４】
非常電話盤（構内交換機）５１は、収容回線に接続される非常電話機ＴＥ１-１、…、ＴＥｋ-１を制御する子機ライントランクＬＮ１−１、…、ＬＮｋ−１と、非常電話親機ＴＬｍ−１〜ＴＬｍ−ｋを制御する親機インタフェースパッケージＩＦ１〜ＩＦｋと、非常電話機ＴＥ１−１、…、ＴＥｋ−１と１対１に対応して移放接点情報を外部装置である表示装置ＤＰ１〜ＤＰＫに送信する移放接点パッケージＰＳ１−１、…、ＰＳｋ−１とから構成される。
【０００５】
なお、ブロック１系〜ブロックＫ系の非常電話機ＴＥ１-１、…、ＴＥｋ-１は、それぞれ１台で構成される場合について示したが、それぞれ任意のｎ台で構成されてもよい。その場合には、ブロック１系〜ブロックＫ系の子機ライントランクＬＮ１−１、…、ＬＮｋ−１および移放接点パッケージＰＳ１−１、…、ＰＳｋ−１もそれぞれｎ個で構成されることになる。
【０００６】
防災センタ５２は、ブロック１系〜ブロックＫ系にそれぞれ設けられ、ブロック１系の場合には、非常電話親機ＴＬｍ−１と外部装置である表示装置ＤＰ１のように、それぞれのブロックで非常電話親機と表示装置の組合せで構成される。
【０００７】
また、非常電話親機ＴＬｍ−１〜ＴＬｍ−ｋには、それぞれ外部装置である放送装置ＢＣ１〜ＢＣＫが接続され、非常電話親機ＴＬｍ−１〜ＴＬｍ−ｋが火災などの発報を受信すると、連動して放送装置ＢＣ１〜ＢＣＫから火災発生の館内放送が行われる。
【０００８】
ブロック１系がホテルの５階であり、非常電話機ＴＥ１−１が５階南の廊下コーナに設置されている場合、非常電話機ＴＥ１−１から発報があると、子機ライントランクＬＮ１−１を介して非常電話盤５１が展開し、親機インタフェースパッケージＩＦ１を介して非常電話親機ＴＬｍ−１を呼び出し、非常電話親機ＴＬｍ−１の表示器に、非常電話機ＴＥ１−１の内線番号「５ＸＸ」および配置位置「南コーナ」を表示させる。
【０００９】
放送装置ＢＣ１が非常電話親機ＴＬｍ−１に連動している場合、非常電話親機ＴＬｍ−１から連動接点のメークまたはブレークの連動接点情報ＪＳ１が放送装置ＢＣ１に供給され、音声発生回路ＡＣ１から予め設定された音声信号が発生し、例えば「５階から火災が発生しました。お客様は、係員の誘導に従って避難して下さい。」などの館内放送がスピーカＳＰ１から発生される。
【００１０】
一方、移放接点パッケージＰＳ１−１から移放接点のメークまたはブレークの移放接点情報Ｊ１−１が表示装置ＤＰ１に供給され、表示装置ＤＰ１が起動され、予め設定された表示、例えば「５階から火災発生、内線番号：５ＸＸ、位置：南コーナ」が表示される。
【００１１】
また、従来の非常電話制御装置は、「特許文献１」（非常電話設備）に開示されているように、複数の非常電話機が接続される非常電話用電話交換機と、非常電話用電話交換機に接続されるとともに、複数の非常電話機が複数のグループに分けられ、それぞれ異なる特定グループの複数の非常電話機から着信する親機とからなり、親機の各々にはそれぞれに接続される被制御機器（ここでは、非常放送装置）を連動動作させる連動動作手段が設けられ、複数の親機は１台の主親機と他の副親機とに分けられ、主親機と副親機には、それぞれ接続された被制御装置（非常放送装置）の連動を停止させる自己停止手段が設けられ、主親機には、副親機に対して被制御機器の連動あるいは連動停止を命令する連動制御手段が設けられ、副親機には連動制御手段からの命令によって自己に接続された被制御機器を連動または連動停止させる移放手段が設けられた構成のものである。
【００１２】
この構成により、主親機側から副親機の被制御装置（非常放送装置）に対する連動／連動停止の操作が可能となるものである。
【特許文献１】特開平９−３２１９０９号公報
【発明の開示】
【発明が解決しようとする課題】
【００１３】
図４に従来の非常電話親機の連動接点と音声発生回路の関係図を示す。図４において、非常電話親機ＴＬｍ−１には、連動リレーの連動接点ｓｗ１と音声発生回路ＡＣ１が接続され、非常電話機ＴＥ１−１から火災などの発報があると、連動リレーが駆動されて連動接点ｓｗ１がオンからオフになると、連動接点情報ＪＳ１が音声発生回路ＡＣ１に供給され、音声発生回路ＡＣ１が駆動されて火災の通報（音声信号）がスピーカＳＰ１から発生される。
【００１４】
なお、連動接点ｓｗ１は、非常電話機ＴＥ１−１の台数が増加しても、全ての非常電話機からの発報に共通しており、１個で賄っている。
【００１５】
図５に従来の非常電話制御装置の移放接点パッケージと表示装置の関係図を示す。図５において、移放接点パッケージＰＳ１−１には、移放接点リレーの移放接点ＣＳ１−１と表示装置ＤＰ１が接続され、非常電話機ＴＥ１−１から火災などの発報があると、移放接点リレーが駆動されて移放接点ＣＳ１−１がオンまたはオフになると、移放接点情報Ｊ１−１が表示装置ＤＰ１に供給され、表示装置ＤＰ１に予め設定された非常電話機ＴＥ１−１に対応した内線番号や位置などが表示される。
【００１６】
従来の非常電話制御装置５０は、非常電話機ＴＥ１−１が増加すると、非常電話機の台数に応じて移放接点パッケージが必要とされ、非常電話機からの発報に対応した移放接点情報が表示装置ＤＰ１に供給され、非常電話機に対応した内線番号や位置などが表示される。
【００１７】
このように、従来の非常電話制御装置５０は、非常電話機ＴＥ１−１、…、ＴＥｋ−１の台数を増加する場合には、非常電話機を収容する子機ライントランクが非常電話機の台数分だけ増加するととともに、移放接点パッケージも非常電話機の台数分だけ増加するため、非常電話盤（ＰＢＸ）５１内の移放接点パッケージの搭載領域が広がり、非常電話機の収容回線が搭載できる余裕があるにも拘わらず、非常電話機の収容回線数を制限しなければならなく、非常電話機の収容回線数を効率的に使用することができなくなり、非常電話制御装置５０の拡張性を妨げる課題がある。
【００１８】
「特許文献１」に開示された非常電話制御装置（非常電話設備）においても、非常電話機に対応して移放接点パッケージが必要とされるような場合には、非常電話制御装置５０の場合と同様な課題が想定される。
【００１９】
この発明はこのような課題を解決するためになされたもので、その目的は非常電話機の収容回線数を効率的に使用可能とすることにより、拡張性の高い非常電話制御装置を提供することにある。
【課題を解決するための手段】
【００２０】
前記課題を解決するためこの発明に係る非常電話制御装置は、ブロック毎に設置された複数の非常電話機と、ブロック毎に対応した防災センタに設置された非常電話親機と、非常電話機を収容するとともに、非常電話親機を収容する構内交換機で構成した非常電話盤とからなる非常電話制御装置であって、非常電話盤は、全ての非常電話機の移放接点情報や状態情報などの各種情報をシリアルデータで、各ブロックに対応した外部機器宛てに伝送するシリアルインタフェース手段を備えたことを特徴とする。
【００２１】
この発明に係る非常電話制御装置の非常電話盤は、全ての非常電話機の移放接点情報や状態情報などの各種情報をシリアルデータで、各ブロックに対応した外部機器宛てに伝送するシリアルインタフェース手段を備えたので、各ブロックの外部機器への移放接点情報や状態情報などの各種情報の伝送を１つのシリアルインタフェース手段で実行し、シリアルインタフェース手段の搭載スペースを小さくすることができるとともに、移放接点情報を含めて各種情報を各ブロックの外部機器へ伝送して、表示させることができる。
【００２２】
また、この発明に係るシリアルインタフェース手段は、１本のＲＣ２３２Ｃケーブルから分岐して各ブロックに対応した外部機器と接続したことを特徴とする。
【００２３】
この発明に係るシリアルインタフェース手段は、１本のＲＣ２３２Ｃケーブルから分岐して各ブロックに対応した外部機器と接続したので、ケーブルの配線を単純にすることができる。
【発明の効果】
【００２４】
この発明に係る非常電話制御装置の非常電話盤は、全ての非常電話機の移放接点情報や状態情報などの各種情報をシリアルデータで、各ブロックに対応した外部機器宛てに伝送するシリアルインタフェース手段を備えたので、各ブロックの外部機器への移放接点情報や状態情報などの各種情報の伝送を１つのシリアルインタフェース手段で実行し、シリアルインタフェース手段の搭載スペースを小さくすることができるとともに、移放接点情報を含めて各種情報を各ブロックの外部機器へ伝送して、表示させることができ、非常電話機の収容回線数を効率的に使用可能とすることにより、拡張性を高めるとともに、非常電話制御装置の状態を監視し、装置の信頼性を高めることができる。
【００２５】
また、この発明に係るシリアルインタフェース手段は、１本のＲＣ２３２Ｃケーブルから分岐して各ブロックに対応した外部機器と接続したので、ケーブルの配線を単純にすることができ、配線に自由度を持たせることができる。
【発明を実施するための最良の形態】
【００２６】
以下、この発明の実施の形態を添付図面に基づいて説明する。図１はこの発明に係る非常電話制御装置の実施の形態ブロック構成図である。図１において、非常電話制御装置１は、各ブロックであるブロック１系〜ブロックＫ系のフロアなどに配置した非常電話機ＴＥ１-１、…、ＴＥｋ-１と、構内交換機（ＰＢＸ）で構成した非常電話盤２と、ブロック１系〜ブロックＫ系の各防災センタに配置された非常電話親機ＴＬｍ-１〜ＴＬｍ-ｋとから構成する。
【００２７】
非常電話盤（構内交換機）２は、収容回線に接続される非常電話機ＴＥ１-１、…、ＴＥｋ-１を制御する子機ライントランクＬＮ１−１、…、ＬＮｋ−１と、非常電話親機ＴＬｍ−１〜ＴＬｍ−ｋを制御する親機インタフェースパッケージＩＦ１〜ＩＦｋと、非常電話機ＴＥ１−１、…、ＴＥｋ−１と１対１に対応して移放接点情報や状態情報などの各種情報をシリアルデータＤＳで、各ブロック（ブロック１系〜ブロックＫ系）に対応した外部機器である表示装置ＤＹ１〜ＤＹＫ宛てに伝送するシリアルインタフェース手段３とから構成する。なお、ブロック１系〜ブロックＫ系の非常電話機は、それぞれＴＥ１−１、…、ＴＥｋ−１の１台で表わし、子機ライントランクは、それぞれＬＮ１−１、…、ＬＮｋ−１ＴＥ１−１、…、ＴＥｋ−１の１台で表わしたが、非常電話機ＴＥ１−１、…、ＴＥｋ−１および子機ライントランクＬＮ１−１、…、ＬＮｋ−１は、それぞれ任意の台数ｎ台で構成してもよい。
【００２８】
また、非常電話盤（ＰＢＸ）２は、子機ライントランクＬＮ１−１、…、ＬＮｋ−１と、それぞれ対応した親機インタフェースパッケージＩＦ１〜ＩＦｋとの間の通話路を形成する通話路スイッチ、非常電話盤２の全体の動作を制御する制御装置、各種データテーブル、シーケンスデータなどを記憶する記憶装置を備える（いずれも図示しない）。
【００２９】
制御装置は、非常電話機ＴＥ１−１、…、ＴＥｋ−１の状態情報、ハンドセット外れ、収容回線の障害情報、非常電話親機ＴＬｍ−１〜ＴＬｍ−ｋの故障情報、非常電話機ＴＥ１−１、…、ＴＥｋ−１と非常電話親機ＴＬｍ−１〜ＴＬｍ−ｋの連動情報／非連動情報、非常電話盤２の障害情報、移放接点情報をシリアルインタフェース手段３に通知する。
【００３０】
また、制御装置は、非常電話機ＴＥ１−１、…、ＴＥｋ−１から火災などの発報があると、子機ライントランクＬＮ１−１、…、ＬＮｋ−１と親機インタフェースパッケージＩＦ１〜ＩＦｋを接続する。
【００３１】
さらに、制御装置は、非常電話機ＴＥ１−１、…、ＴＥｋ−１から火災などの発報があると、移放接点情報をシリアルインタフェース手段３に提供する。
【００３２】
シリアルインタフェース手段３は、制御装置から通知される非常電話機ＴＥ１−１、…、ＴＥｋ−１の状態情報、ハンドセット外れ、収容回線の障害情報、非常電話親機ＴＬｍ−１〜ＴＬｍ−ｋの故障情報、非常電話機ＴＥ１−１、…、ＴＥｋ−１と非常電話親機ＴＬｍ−１〜ＴＬｍ−ｋの連動情報／非連動情報、非常電話盤２の障害情報および非常電話機ＴＥ１−１、…、ＴＥｋ−１からの移放接点情報をシリアルデータＤＳに変換し、パケットデータにしてＲＳ２３２ＣケーブルＣＢを介して分岐してブロック１系〜ブロックＫ系の外部装置を構成する表示装置ＤＹ１〜ＤＹＫに伝送する。
【００３３】
シリアルインタフェース手段３から伝送されるパケットデータは、それぞれ宛先である表示装置ＤＹ１〜ＤＹＫのアドレス、移放接点情報などのデータ、送り先であるシリアルインタフェース手段３のアドレスなどから形成される。
【００３４】
非常電話機ＴＥ１−１、…、ＴＥｋ−１からの火災などの移放接点情報のパケットは、それぞれ対応する表示装置ＤＹ１〜ＤＹＫに自動的に伝送される。
【００３５】
また、非常電話機ＴＥ１−１、…、ＴＥｋ−１の状態情報、ハンドセット外れ、収容回線の障害情報、非常電話親機ＴＬｍ−１〜ＴＬｍ−ｋの故障情報、非常電話機ＴＥ１−１、…、ＴＥｋ−１と非常電話親機ＴＬｍ−１〜ＴＬｍ−ｋの連動情報／非連動情報、非常電話盤２の障害情報のパケットは、一定時間毎に対応する表示装置ＤＹ１〜ＤＹＫに伝送するか、または表示装置ＤＹ１〜ＤＹＫからデータ要求がある場合に、シリアルインタフェース手段３から伝送するようにしてもよい。
【００３６】
非常電話機ＴＥ１−１、…、ＴＥｋ−１からの発報は、頻繁に発生することはないが、火災などが発生した場合には、確実に表示装置ＤＹ１〜ＤＹＫに表示されなければならない。そのために、平常時でも非常電話機ＴＥ１−１、…、ＴＥｋ−１の状態情報、ハンドセット外れ、収容回線の障害情報、非常電話親機ＴＬｍ−１〜ＴＬｍ−ｋの故障情報を常に監視していざという時に備える。
【００３７】
非常電話親機ＴＬｍ−１〜ＴＬｍ−ｋは、非常電話機ＴＥ１−１、…、ＴＥｋ−１から火災などの発報がある場合、親機インタフェースパッケージＩＦ１〜ＩＦｋから異常呼出があり、表示器に発報先の「電話番号」、「設置場所」、「火災が発生しました」などの表示をするとともに、外部機器である放送装置ＢＣ１〜ＢＣＫと連動している場合には、連動接点情報ＪＳ１〜ＪＳｋを放送装置ＢＣ１〜ＢＣＫに伝送し、放送装置ＢＣ１〜ＢＣＫから火災などの館内放送を発生する。
【００３８】
図２はこの発明に係るシリアルインタフェース手段の一実施の形態要部ブロック構成図である。図２において、シリアルインタフェース手段３は、交換機インタフェース５，制御手段６、ＲＯＭ７、ＲＡＭ８、データ多重／分離手段９、駆動手段１０、コネクタ１１を備える。
【００３９】
交換機インタフェース５は、非常電話盤（ＰＢＸ）２とシリアルインタフェース手段３との間のインタフェースを取り、非常電話機ＴＥ１−１、…、ＴＥｋ−１の状態情報、ハンドセット外れ、収容回線の障害情報、非常電話親機ＴＬｍ−１〜ＴＬｍ−ｋの故障情報、非常電話機ＴＥ１−１、…、ＴＥｋ−１と非常電話親機ＴＬｍ−１〜ＴＬｍ−ｋの連動情報／非連動情報、非常電話盤２の障害情報および移放接点情報をそれぞれブロック１系〜ブロックＫ系毎の単位で、制御手段６に供給する。
【００４０】
制御手段６は、マイクロプロセッサを基本に各種演算機能、処理機能を備え、ＲＯＭ７に格納されたシーケンスプログラムに従って交換機インタフェース５から供給された情報をブロック１系〜ブロックＫ系毎にシリアルデータを形成し、シリアルデータをＲＡＭ８に格納するとともに、データ多重／分離手段９に供給する。
【００４１】
また、制御手段６は、表示装置ＤＹ１〜ＤＹＫからデータ要求があると、要求のあるデータをＲＡＭ８から読み出し、読み出したシリアルデータをデータ多重／分離手段９に供給する。
【００４２】
さらに、制御手段６は、一定時間毎に移放接点データを除くデータ（非常電話機ＴＥ１−１、…、ＴＥｋ−１の状態情報、ハンドセット外れ、収容回線の障害情報、非常電話親機ＴＬｍ−１〜ＴＬｍ−ｋの故障情報、非常電話機ＴＥ１−１、…、ＴＥｋ−１と非常電話親機ＴＬｍ−１〜ＴＬｍ−ｋの連動情報／非連動情報、非常電話盤２の障害情報）をデータ多重／分離手段９に供給する。
【００４３】
データ多重／分離手段９は、制御手段６から供給されるブロック１系〜ブロックＫ系のシーケンスデータを多重化し、多重化したパケットデータを駆動手段１０に供給する。
【００４４】
また、データ多重／分離手段９は、駆動手段１０から供給されるデータ要求のパケットデータを分離し、分離した要求データを制御手段６に供給する。
【００４５】
駆動手段１０は、データ多重／分離手段９から供給される多重化したパケットデータをコネクタ１１を介してＲＳ２３２ＣケーブルＣＢに伝送する。
【００４６】
コネクタ１１は、ＲＳ２３２Ｃインタフェースを備え、駆動手段１０からの多重化したパケットデータをＲＳ２３２ＣケーブルＣＢに送出する。
【００４７】
このように、この発明に係る非常電話制御装置１の非常電話盤２は、全ての非常電話機ＴＥ１−１、…、ＴＥｋ−１の移放接点情報や状態情報などの各種情報をシリアルデータで、各ブロック（ブロック１系〜ブロックＫ系）に対応した外部機器（表示装置ＤＹ１〜ＤＹＫ）宛に伝送するシリアルインタフェース手段３を備えたので、各ブロックの外部機器への移放接点情報や状態情報などの各種情報の伝送を１つのシリアルインタフェース手段３で実行し、シリアルインタフェース手段３の搭載スペースを小さくすることができるとともに、移放接点情報を含めて各種情報を各ブロックの外部機器（表示装置ＤＹ１〜ＤＹＫ）へ伝送して、表示させることができ、非常電話機の収容回線数を効率的に使用可能とすることにより、拡張性を高めるとともに、非常電話制御装置の状態を監視し、装置の信頼性を高めることができる。
【００４８】
また、この発明に係るシリアルインタフェース手段３は、１本のＲＣ２３２Ｃケーブルから分岐して各ブロック（ブロック１系〜ブロックＫ系）に対応した外部機器（表示装置ＤＹ１〜ＤＹＫ）と接続したので、ケーブルの配線を単純にすることができ、配線に自由度を持たせることができる。
【産業上の利用可能性】
【００４９】
本発明に係る非常電話制御装置は、非常電話機の収容回線数を効率的に使用可能とすることにより、拡張性の高い非常電話制御装置を提供することができ、移放接点パッケージを有するあらゆる非常電話制御装置に適用することができる。
【図面の簡単な説明】
【００５０】
【図１】この発明に係る非常電話制御装置の実施の形態ブロック構成図
【図２】この発明に係るシリアルインタフェース手段の一実施の形態要部ブロック構成図
【図３】従来の非常電話制御装置のシステム構成図
【図４】従来の非常電話親機の連動接点と音声発生回路の関係図
【図５】従来の非常電話制御装置の移放接点パッケージと表示装置の関係図
【符号の説明】
【００５１】
１    非常電話制御装置
２    非常電話盤
３    シリアルインタフェース手段
４    防災センタ
５    交換機インタフェース
６    制御手段
７    ＲＯＭ
８    ＲＡＭ
９    データ多重／分離手段
１０    駆動手段
１１    コネクタ１１
ＴＥ1-1、…、ＴＥｋ-1    非常電話機
ＴＬｍ-1〜ＴＬｍ-ｋ    非常電話親機
ＬＮ1-1、…、ＬＮk-1    子機ライントランク
ＩＦ1〜ＩＦｋ    親機インタフェースパッケージ
ＣＢ    ＲＳ２３２Ｃケーブル
ＢＣ１〜ＢＣＫ    放送装置
ＡＣ１〜ＡＣＫ    音声発生回路
ＳＰ１〜ＳＰＫ    スピーカ
ＤＹ１〜ＤＹＫ    表示装置
ＪＳ１〜ＪＳｋ    連動接点情報
ＤＳ    シリアルデータ
【図１】
2006067163.tif 000003
【図２】
2006067163.tif 000004
【図３】
2006067163.tif 000005
【図４】
2006067163.tif 000006
【図５】
2006067163.tif 000007